(57)【要約】【課題】利用者の利用に適した駐車場を選択しつつ、簡易に駐車してよい時間の利用権の受け渡しができる駐車システムなどを提供する。【解決手段】駐車システムは、提供者により入力され、駐車可能スペースと駐車可能時間とを対象とした駐車場情報を提供者が欲する単位での対価又は付加価値の情報を含めて取得して、記憶する駐車場情報記憶手段と、利用者により入力され、利用者情報を駐車する車の情報を含めて取得して、記憶する利用者情報記憶手段と、利用者からの利用したい駐車場の位置及び時間に関する情報を受け付ける受付手段と、駐車場情報記憶手段に記憶されている駐車場情報の中から、利用者の利用に適した駐車場を検索して、出力する出力手段と、出力された駐車場を利用者が選択することにより、駐車場の利用の有無にかかわらず、対価又は付加価値を利用者から提供者に移転可能とする移転手段とを備える。【選択図】図２
2020017022.tif 000002
【特許請求の範囲】
【請求項１】
駐車可能スペースの提供を欲する提供者により入力され、当該駐車可能スペースと駐車可能時間とを対象とした駐車場情報を当該提供者が欲する単位での対価又は付加価値の情報を含めて取得して、記憶する駐車場情報記憶手段と、
駐車場の利用を欲する利用者により入力され、当該利用者を対象とした利用者情報を駐車する車の情報を含めて取得して、記憶する利用者情報記憶手段と、
前記利用者からの利用したい駐車場の位置及び時間に関する情報を受け付ける受付手段と、
前記駐車場情報記憶手段に記憶されている前記駐車場情報の中から、前記利用したい駐車場の位置及び時間に関する情報と、前記利用者情報記憶手段に記憶されている前記利用者情報とに基づいて、前記利用者の利用に適した駐車場を検索して、出力する出力手段と、
出力された駐車場を前記利用者が選択することにより、当該駐車場の利用の有無にかかわらず、対価又は付加価値を当該利用者から前記提供者に移転可能とする移転手段と、
を有する駐車システム。
【請求項２】
前記出力手段は、
前記駐車場情報に基づいて設定される前記駐車可能スペースが対象とする車に対する情報と、
前記利用者が駐車する車に対する情報と
に基づいて検索された駐車場を出力することを特徴とする請求項１に記載の駐車システム。
【請求項３】
前記駐車場情報は、前記駐車可能スペースに対して設定される駐車のしやすさに対する情報を含むことを特徴とする請求項２に記載の駐車システム。
【請求項４】
前記利用者情報は、前記利用者の運転の技能に対する情報を含むことを特徴とする請求項３に記載の駐車システム。
【請求項５】
前記出力手段は、
前記駐車可能スペースに対して設定される駐車のしやすさに対する情報と、前記利用者の運転の技能に対する情報と
に基づいてさらに検索された駐車場を出力することを特徴とする請求項４に記載の駐車システム。
【請求項６】
コンピュータを、
駐車可能スペースの提供を欲する提供者により入力され、当該駐車可能スペースと駐車可能時間とを対象とした駐車場情報を当該提供者が欲する単位での対価又は付加価値の情報を含めて取得して、記憶する駐車場情報記憶手段と、
駐車場の利用を欲する利用者により入力され、当該利用者を対象とした利用者情報を駐車する車の情報を含めて取得して、記憶する利用者情報記憶手段と、
前記利用者からの利用したい駐車場の位置及び時間に関する情報を受け付ける受付手段と、
前記駐車場情報記憶手段に記憶されている前記駐車場情報の中から、前記駐車場の位置及び時間に関する情報と、前記利用者情報記憶手段に記憶されている前記利用者情報とに基づいて、前記利用者の利用に適した駐車場を検索して、出力する出力手段と、
出力された駐車場を前記利用者が選択することにより、当該駐車場の利用の有無にかかわらず、対価又は付加価値を当該利用者から前記提供者に移転可能とする移転手段として、
機能させるプログラム。
【発明の詳細な説明】
【技術分野】
【０００１】
本発明は、駐車システム及びプログラムに関する。
【背景技術】
【０００２】
特許文献１には、次の駐車場管理装置が記載されている。つまり、駐車場の位置情報とＧＰＳ情報に含まれるその登録車両の位置情報とに基づいて、その登録車両がその駐車場に到達するまでの予想所要時間である駐車場到達時間を計算する。駐車場到達時間に応じて出庫した登録車両を複数のグループに分ける。グループに含まれる登録車両と等しい数の駐車スペースが駐車場に新たに空くまでの予想時間であるスペース確保時間を出庫率を用いてグループごとに求める。少なくとも１つのグループにおいてスペース確保時間がそのグループの代表駐車場到達時間よりも短い場合には、一時利用車両の駐車場への入庫を禁止する。
【０００３】
特許文献２には、次の駐車場情報サーバ装置が記載されている。つまり、車両に搭載される駐車場情報収集装置は、車両走行時には現在位置と走行時間情報とを含む車両走行履歴情報を取得しておく。そして、車両が駐車した場合には、この車両走行履歴情報に基づいて、駐車した駐車場における駐車完了時間を算出し、駐車場識別情報とともにデータセンタのサーバ装置へ送信する。また、サーバ装置では、駐車場識別情報と駐車完了時間とを受信して記録しておく。そして、車両に備えられている装置から駐車場関連情報の検索条件を受信した場合には、この検索条件に合致する駐車場関連情報を検索して出力する。
【０００４】
特許文献３には、次の空き駐車スペース情報送信装置及び空き駐車スペース情報受信装置が記載されている。つまり、空き駐車スペース情報送信装置は、この装置が搭載された車両が駐車場内を走行中にその車両の周囲に存在する空き駐車スペースを探し、空き駐車スペースを検出したことに基づいて、その空き駐車スペースの位置情報を少なくとも含む空き駐車スペース情報を無線送信する。空き駐車スペース情報受信装置は、空き駐車スペース情報送信装置が送信した空き駐車スペース情報を受信して、その受信した空き駐車スペース情報に基づいて駐車場内の空き駐車スペースを乗員に案内する。
【０００５】
特許文献４には、次の駐車場情報サーバ装置が記載されている。つまり、車両に搭載される駐車場情報収集装置は、車両走行時には走行速度と走行時間情報とを含む車両走行履歴情報を取得しておく。そして、車両が駐車した場合には、この車両走行履歴情報に基づいて、駐車した駐車場における駐車のしやすさを示す駐車容易度を算出し、駐車場識別情報とともにデータセンタのサーバ装置へ送信する。そして、車両に備えられている装置から駐車場の検索条件を受信した場合には、この検索条件に合致する駐車場情報を検索し、検索結果に含まれる駐車容易度の平均値を算出して出力する。
【先行技術文献】
【特許文献】
【０００６】
【特許文献１】特開２００９−２７１７１２号公報
【特許文献２】特開２０１３−００８１５８号公報
【特許文献３】特開２００９−２７６９２７号公報
【特許文献４】特開２０１３−００８１５７号公報
【発明の概要】
【発明が解決しようとする課題】
【０００７】
駐車場について時間貸しの空き駐車場の情報をネットワークを介して提供し、利用の時間毎の価格を表示したものは存在する。
しかし、例えば、著名観光地の住民で休日に駐車場が空いていたり、自動車通勤のために平日の昼間帯は駐車場が空いていたりして、他人に貸し出して何らかの利益を得たい等、駐車してよい時間の利用権の受け渡しを欲する場合がある。この場合、利用者の利用に適した駐車場が選択できるとともに、簡易に駐車してよい時間の利用権の受け渡しができれば、貸し出す側と借りる側との両者の希望を叶えることが可能となる。
本発明の目的は、利用者の利用に適した駐車場を選択しつつ、簡易に駐車してよい時間の利用権の受け渡しができる駐車システムなどを提供することにある。
【課題を解決するための手段】
【０００８】
本発明が適用される駐車システムは、駐車可能スペースの提供を欲する提供者により入力され、駐車可能スペースと駐車可能時間とを対象とした駐車場情報を提供者が欲する単位での対価又は付加価値の情報を含めて取得して、記憶する駐車場情報記憶手段と、駐車場の利用を欲する利用者により入力され、利用者を対象とした利用者情報を駐車する車の情報を含めて取得して、記憶する利用者情報記憶手段と、利用者からの利用したい駐車場の位置及び時間に関する情報を受け付ける受付手段と、駐車場情報記憶手段に記憶されている駐車場情報の中から、利用したい駐車場の位置及び時間に関する情報と、利用者情報記憶手段に記憶されている利用者情報とに基づいて、利用者の利用に適した駐車場を検索して、出力する出力手段と、出力された駐車場を利用者が選択することにより、駐車場の利用の有無にかかわらず、対価又は付加価値を利用者から提供者に移転可能とする移転手段と、を備える。
ここで、出力手段は、駐車場情報に基づいて設定される駐車可能スペースが対象とする車に対する情報と、利用者が駐車する車に対する情報とに基づいて検索された駐車場を出力することとしてもよい。
また、駐車場情報は、駐車可能スペースに対して設定される駐車のしやすさに対する情報を含むこととしてもよい。
そして、利用者情報は、利用者の運転の技能に対する情報を含むこととしてもよい。
さらに、出力手段は、駐車可能スペースに対して設定される駐車のしやすさに対する情報と、利用者の運転の技能に対する情報とに基づいてさらに検索された駐車場を出力するとしてもよい。
また、他の観点から捉えると、本発明が適用されるプログラムは、コンピュータを、駐車可能スペースの提供を欲する提供者により入力され、駐車可能スペースと駐車可能時間とを対象とした駐車場情報を提供者が欲する単位での対価又は付加価値の情報を含めて取得して、記憶する駐車場情報記憶手段と、駐車場の利用を欲する利用者により入力され、利用者を対象とした利用者情報を駐車する車の情報を含めて取得して、記憶する利用者情報記憶手段と、利用者からの利用したい駐車場の位置及び時間に関する情報を受け付ける受付手段と、駐車場情報記憶手段に記憶されている駐車場情報の中から、駐車場の位置及び時間に関する情報と、利用者情報記憶手段に記憶されている利用者情報とに基づいて、利用者の利用に適した駐車場を検索して、出力する出力手段と、出力された駐車場を利用者が選択することにより、駐車場の利用の有無にかかわらず、対価又は付加価値を利用者から提供者に移転可能とする移転手段として、機能させる。
【発明の効果】
【０００９】
本発明によれば、利用者の利用に適した駐車場を選択しつつ、簡易に駐車してよい時間の利用権の受け渡しができる駐車システムを提供することができる。
【図面の簡単な説明】
【００１０】
【図１】駐車システムの一例を示す図である。
【図２】駐車サーバの機能ブロックを説明する図である。
【図３】駐車サーバのハードウエア構成の一例を説明する図である。
【図４】駐車場情報の一例である。（ａ）は、駐車場登録情報、（ｂ）は、時間情報である。
【図５】駐車場情報を駐車サーバの第１記憶部に記憶させる（登録する）フローチャートである。
【図６】第１記憶部に記憶された駐車場情報の一例である。
【図７】利用者情報の一例を説明する図である。
【図８】利用者情報を駐車サーバの第２記憶部に記憶させる（登録する）フローチャートである。
【図９】申込情報の一例を説明する図である。
【図１０】駐車場の利用に関するフローチャートである。
【図１１】ステップで提示される検索結果情報の一例である。（ａ）は、検索された駐車場を示した検索結果の表、（ｂ）は、検索された駐車場を地図上に配置した検索結果の地図画面である。
【図１２】図１０におけるステップ１３０で利用者に提示される確認情報及びステップ１３２で提供者に提示される移転情報の一例である。（ａ）は、確認情報、（ｂ）は、移転情報である。
【発明を実施するための形態】
【００１１】
以下、添付図面を参照して、本発明の実施の形態について詳細に説明する。
【００１２】
図１は、駐車システム１の一例を示す図である。
図１に示す駐車システム１は、駐車サーバ１０と、提供者端末３０と、利用者端末４０とを備える。駐車サーバ１０、提供者端末３０及び利用者端末４０は、ネットワーク２０によって互いに接続されている。
【００１３】
図１では、２つの提供者端末３０と、２つの利用者端末４０とが例示されている。ここで、２つの提供者端末３０をそれぞれ区別する場合には、提供者端末３０Ａ、３０Ｂと表記し、２つの利用者端末４０をそれぞれ区別する場合には、利用者端末４０Ａ、４０Ｂと表記する。なお、提供者端末３０Ａ及び利用者端末４０Ａは、例えばパーソナルコンピュータ（ＰＣ）であって、提供者端末３０Ｂ及び利用者端末４０Ｂは、例えば携帯端末（スマートフォン）である。つまり、提供者端末３０及び利用者端末４０は、ＰＣ、スマートフォンの他、タブレット端末など、ネットワーク２０を介して、駐車サーバ１０と情報（データ）の送受信が行えるものであればよい。
【００１４】
なお、ネットワーク２０は、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネットなどの有線ネットワーク、無線ネットワーク、これらが複合されたネットワークなどであってよい。
【００１５】
提供者端末３０は、管理する駐車可能スペースを貸したい（提供したい）提供者が操作する端末である。ここで、提供者端末３０Ａを操作する提供者を提供者Ａとする。以下では、１台毎の駐車可能スペースを駐車場と表記する。提供者Ａは、２台分の駐車場を有しているとする。この駐車場を、それぞれ駐車場Ａ−１、Ａ−２として識別する。一方、提供者端末３０Ｂを操作する提供者を提供者Ｂとする。提供者Ｂは、１台分の駐車場を有しているとする。この駐車可能スペースを駐車場Ｂ−１として識別する。
【００１６】
利用者端末４０は、駐車場を利用したい利用者が操作する端末である。ここでは、利用者端末４０Ａを操作する利用者を利用者ａとし、利用者端末４０Ｂを操作する利用者を利用者ｂとする。
【００１７】
駐車サーバ１０の概要を説明する。
駐車サーバ１０は、提供者が提供する駐車場に関する情報（以下では、駐車場情報と表記する。）を記憶する。また、利用者が登録した利用者に関する情報（以下では、利用者情報と表記する。）を記憶する。そして、利用者から駐車場の利用の申し込み（以下では、申込情報と表記する。）を取得すると、利用者情報及び申込情報に基づいて、記憶されている駐車場情報から利用に適した駐車場を検索し、検索した結果（以下では、検索結果情報と表記する。）を、利用を申し込んだ利用者に提示する。このとき、駐車場の利用に対応する対価又は付加価値（以下では、対価等と表記する。）に関する情報（以下では、対価等情報と表記する。）を合わせて提示する。そして、利用者が利用を決定（確定）した場合に、提供者が利用者に駐車場の利用権を与えるとともに、利用者から提供者に対価等を移転させる。
【００１８】
ここで、提供者及び／又は利用者として、個人を想定するが、法人であってもよい。また、利用に対する対価とは、賃料としての金銭である。一方、利用に対する付加価値とは、商品の購入やサービスが受けられる点数（ポイント）等の金銭以外のものである。
駐車サーバ１０の動作の詳細は、後述する。
【００１９】
図２は、駐車サーバ１０の機能ブロックを説明する図である。
駐車サーバ１０は、第１取得部１１０Ａと、第２取得部１１０Ｂと、第１提示部１２０Ａと、第２提示部１２０Ｂと、制御部１３０と、第１記憶部１４０Ａと、第２記憶部１４０Ｂとを備える。
制御部１３０は、登録部１３１と、検索部１３２と、受付部１３３と、移転処理部１３４とを備える。
【００２０】
次に、情報の流れに沿って、駐車サーバ１０における各部間の接続関係及び動作を説明する。
第１取得部１１０Ａは、提供者端末３０に接続されている。第１取得部１１０Ａは、提供者端末３０を介して、提供者から駐車場情報を取得する。第１取得部１１０Ａは、制御部１３０の登録部１３１に接続されている。登録部１３１は、第１記憶部１４０Ａ及び第２記憶部１４０Ｂに接続されている。登録部１３１は、第１取得部１１０Ａが取得した駐車場情報を第１記憶部１４０Ａに登録する（記憶させる）。
【００２１】
第２取得部１１０Ｂは、利用者端末４０に接続されている。そして、第２取得部１１０Ｂは、利用者端末４０を介して、利用者から利用者情報を取得する。第２取得部１１０Ｂも、登録部１３１に接続されている。登録部１３１は、第２取得部１１０Ｂが取得した利用者情報を第２記憶部１４０Ｂに登録する（記憶させる）。
第１取得部１１０Ａ、登録部１３１及び第１記憶部１４０Ａは、駐車場情報記憶手段の一例である。第２取得部１１０Ｂ、登録部１３１及び第２記憶部１４０Ｂは、利用者情報記憶手段の一例である。
【００２２】
また、第２取得部１１０Ｂは、制御部１３０の受付部１３３に接続されている。検索部１３２は、第１記憶部１４０Ａ、第２記憶部１４０Ｂ及び第２提示部１２０Ｂに接続されている。第２提示部１２０Ｂは、利用者端末４０に接続されている。
受付部１３３は、利用者端末４０及び第２取得部１１０Ｂを介して、利用者から駐車場の利用を申し込む申込情報を取得する。受付部１３３は、第２取得部１１０Ｂが取得した申込情報を検索部１３２に送信する。検索部１３２は、第１記憶部１４０Ａに記憶された駐車場情報及び第２記憶部１４０Ｂに記憶された利用者情報に基づいて、利用者の利用に適した駐車場を検索する。そして、検索部１３２は、駐車場を検索した結果である検索結果情報を、第２提示部１２０Ｂに送信する。なお、検索結果情報には、対価等情報が含まれることがよい。
第２提示部１２０Ｂは、利用者端末４０を介して、利用を申し込んだ利用者に検索結果情報を提示する。
第２取得部１１０Ｂ及び受付部１３３は、受付手段の一例であり、検索部１３２及び第２提示部１２０Ｂは、出力手段の一例である。
【００２３】
また、第２取得部１１０Ｂは、制御部１３０の受付部１３３に接続されている。受付部１３３は、移転処理部１３４、第１記憶部１４０Ａ及び第２記憶部１４０Ｂに接続されている。第２取得部１１０Ｂは、利用者端末４０を介して、利用者から駐車場の予約に関する情報（以下では、予約情報と表記する。）を受け付け、受付部１３３に送信する。すると、受付部１３３は、予約情報を第１記憶部１４０Ａに記憶させる。これにより、検索部１３２は、他の利用者による利用の申し込みがされても、予約された駐車場を重複して検索することが抑制される。
そして、受付部１３３は、予約情報を移転処理部１３４に送信する。
【００２４】
移転処理部１３４は、第２記憶部１４０Ｂ、第１提示部１２０Ａ、第２取得部１１０Ｂ及び第２提示部１２０Ｂに接続されている。
移転処理部１３４は、受付部１３３から予約情報を受け取ると、予約を確認するための情報（以下では、確認情報と表記する。）を第２提示部１２０Ｂに送信する。すると、第２提示部１２０Ｂは、利用者端末４０を介して、駐車場の予約を行った利用者に確認情報を提示する。後述するように、確認情報には、予約情報に対応して算出された合計の対価等に関する情報が含まれる。
【００２５】
第２取得部１１０Ｂは、利用者端末４０を介して、提示された確認情報に対する利用者からの承諾する旨の情報（以下では、承諾情報と表記する。）を取得する。第２取得部１１０Ｂは、承諾情報を移転処理部１３４に送信する。移転処理部１３４は、第２取得部１１０Ｂから承諾情報を取得すると、利用者から提供者に対価等を移転する処理を行い、対価等の移転に関する情報を第２記憶部１４０Ｂに記憶させる。また、移転処理部１３４は、対価等の移転に関する情報、駐車場を予約した利用者、駐車場を予約した車両などに関する情報（以下では、移転情報と表記する。）を第１提示部１２０Ａに送信する。第１提示部１２０Ａは、提供者端末３０を介して、提供者に移転情報を提示する。なお、移転情報は、例えばメール送信や、駐車サーバ１０に設けられた個人ページなどへの掲載などで行われてもよい。移転情報は、提供者が必要とする場合にアクセス可能であればよい。
移転処理部１３４は、移転手段の一例である。
なお、第１記憶部１４０Ａと第２記憶部１４０Ｂとを分けたが、一つの記憶部であってもよい。
【００２６】
ここでは、提供者は、予め駐車場の提供に関する情報である駐車場情報を駐車サーバ１０に登録する。そして、駐車サーバ１０は、利用者による駐車場の利用が決まった際に、提供者に移転情報を提示する。
つまり、提供者は、駐車場の利用について、利用者とやりとりすることを要しない。
【００２７】
一方、利用者も、予め利用者及び利用する車両の情報である利用者情報を駐車サーバ１０に登録しておく。そして、駐車場を利用する毎に、利用を申し込む申込情報を駐車サーバ１０に送信する。すると、利用者は、駐車サーバ１０が検索して提示する利用に適した駐車場に関する検索結果情報に基づいて、利用したい駐車場を選択して予約する。
なお本実施の形態では、以下に説明するように、駐車サーバ１０は、駐車場情報と利用者情報とに基づいて、利用者の利用に適した駐車場を検索して提示する。よって、利用者は、利用に適さない駐車場を選択することが抑制される。
【００２８】
ここでは、以下に説明するように、駐車サーバ１０は、駐車可能スペース（駐車場）が対象とする車に対する情報（以下では、対象車両ランクと表記する。）と利用者が駐車する車に対する情報（以下では、利用車両ランクと表記する。）とを設定する。さらに、駐車サーバ１０は、駐車可能スペース（駐車場）の駐車のしやすさに対する情報（以下では、駐車しやすさランクと表記する。）と利用者の運転の技能に対する情報（以下では、運転技能ランクと表記する。）とを設定する。そして、制御部１３０の検索部１３２は、空きの駐車場があるか否かに加えて、利用車両ランクにより対象車両ランクを検索するとともに、運転技能ランクにより駐車しやすさランクを検索して、利用者の利用に適する駐車場を検索して、提示するようになっている。
【００２９】
なお、受付部１３３は、予約情報を第１提示部１２０Ａに送信してもよい。このとき、第１提示部１２０Ａは、提供者端末３０を介して、予約情報を提供者に提示することになる。
【００３０】
図３は、駐車サーバ１０のハードウエア構成の一例を説明する図である。
駐車サーバ１０は、ＣＰＵ３０１、ＲＯＭ３０２、ＲＡＭ３０３、ＨＤＤ３０４、通信用入出力インターフェイス（通信ＩＦ）３０５、入出力インターフェイス（入出力ＩＦ）３０６、入出力ＩＦ３０６に接続されたディスプレイ３０７、入出力ＩＦ３０６に接続された入力デバイス３０８、及びバス３０９を備える。
【００３１】
ＲＯＭ３０２は、電源の供給がない場合でも記憶したデータを保持する不揮発メモリである。ＲＯＭ３０２は、例えば、ＥＰＲＯＭ、ＥＥＰＲＯＭ、フラッシュメモリなどである。ＲＯＭ３０２は、駐車サーバ１０として動作させるためのアプリケーションソフトウエア（プログラム）やプログラムが用いる定数や変数の初期値などのデータを記憶する。
【００３２】
ＲＡＭ３０３は、電源の供給が絶たれると記憶したデータが失われる揮発メモリである。ＲＡＭ３０３は、ＲＯＭ３０２より、データの読み書きが高速である。ＲＡＭ３０３は、例えばＤＲＡＭである。ＲＡＭ３０３は、ＲＯＭ３０２に記憶されたプログラムやデータが読み出され、実行可能な状態に展開されるとともに、駐車サーバ１０を動作させるためのデータを記憶するワークエリアとして使用される。
【００３３】
ＨＤＤ３０４は、電源の供給がない場合でも記憶したデータを保持する書き換え可能な不揮発メモリであって、大容量のデータを記憶する。ＲＯＭ３０２と同様に、駐車サーバ１０として動作させるためのアプリケーションソフトウエア（プログラム）やプログラムが用いる定数や変数の初期値などのデータを記憶してもよい。
【００３４】
バス３０９は、ＣＰＵ３０１、ＲＯＭ３０２、ＲＡＭ３０３、ＨＤＤ３０４、通信ＩＦ３０５、及び入出力ＩＦ３０６に接続され、ＣＰＵ３０１の制御によって、プロラムやデータの入出力を可能にする。
通信ＩＦ３０５は、各種の情報の取得と提示とを行うインターフェイスであり、提供者端末３０及び利用者端末４０とのインターフェイスである。
【００３５】
入出力ＩＦ３０６は、ディスプレイ３０７及び入力デバイス３０８に接続されている。ディスプレイ３０７は、画像を視認することが可能なＬＣＤなどである。入力デバイス３０８は、ＣＰＵ３０１に指示を与えるためのデバイスであって、キーボード、タッチパネル、スイッチなどである。駐車サーバ１０では、ディスプレイ３０７及び／又は入力デバイス３０８を備えなくともよい。
【００３６】
ＣＰＵ３０１は、電源が投入されると、ＲＯＭ３０２（又は、ＨＤＤ３０４）に記憶されたプログラムやデータを読み出して、ＲＡＭ３０３上に実行可能な状態に展開する。そして、プログラムを実行する。プログラムの実行にともない、ＨＤＤ３０４、通信ＩＦ３０５、入出力ＩＦ３０６とデータのやり取りを行う。
【００３７】
上記では、ＲＯＭ３０２、ＲＡＭ３０３及びＨＤＤ３０４を設けたが、ＲＯＭ３０２、ＲＡＭ３０３及びＨＤＤ３０４のいくつかを、書き換え可能な不揮発メモリによって構成してもよい。書き換え可能な不揮発メモリとしては、フラッシュメモリなどを用いればよい。また、ＲＯＭ３０２、ＲＡＭ３０３をＣＰＵ３０１と一体に構成してもよい。この場合、ＲＯＭ３０２、ＲＡＭ３０３を書き換え可能な不揮発メモリによって構成してもよい。書き換え可能な不揮発メモリとしては、フラッシュメモリなどを用いればよい。
【００３８】
以上においては、駐車サーバ１０は、ＲＯＭ３０２又はＨＤＤ３０４に保持されたアプリケーションソフトウエア（プログラム）によって、動作するとして説明した。この場合、ＲＡＭ３０３上に実行可能な形態で展開されたアプリケーションソフトウエア（プログラム）によって、上記した駐車サーバ１０における制御部１３０の各部が構成され、駐車サーバ１０としての動作が実行される。
そして、ＨＤＤ３０４などのメモリによって、第１記憶部１４０Ａ、第２記憶部１４０Ｂが構成され、通信ＩＦ３０５によって、第１取得部１１０Ａ、第２取得部１１０Ｂ、第１提示部１２０Ａ及び第２提示部１２０Ｂが構成される。
【００３９】
なお、駐車サーバ１０は、単体のサーバマシンに限定されず、ネットワーク上などに分散されて構成されていてもよい。
【００４０】
なお、提供者が操作する提供者端末３０及び利用者が操作する利用者端末４０も、図３に示したハード構成と同様なハード構成を有している。提供者端末３０及び利用者端末４０では、ディスプレイ３０７に各情報により構成された画面が提示され、入力デバイス３０８であるキーボードなどの操作によって、各情報が作成される。
【００４１】
以下では、各情報について詳細に説明する。なお、各情報における項目が同じである場合には、同じ符号を付す。
（駐車場情報）
駐車場情報（以下では、駐車場情報２１０と表記する。）とは、提供者が利用者に提供する駐車可能スペース（駐車場）に関する情報である。駐車場情報２１０は、提供者端末３０を介して、提供者によって入力され、第１記憶部１４０Ａに記憶される。
駐車場情報２１０には、駐車場登録情報２１０Ａと時間情報２１０Ｂとを含む。駐車場登録情報２１０Ａは、駐車場に関する情報である。一方、時間情報２１０Ｂは、駐車可能な時間に関する情報である。
【００４２】
図４は、駐車場情報２１０の一例である。図４（ａ）は、駐車場登録情報２１０Ａ、図４（ｂ）は、時間情報２１０Ｂである。
駐車場登録情報２１０Ａは、図４（ａ）に示す画面として、提供者の操作する提供者端末３０のディスプレイ（図３のディスプレイ３０７）に表示される。そして、提供者は、キーボードなどの入力デバイス（図３の入力デバイス３０８）により、表示された駐車場登録情報２１０Ａの予め定められた入力欄にその内容を入力する。また、時間情報２１０Ｂも同様である。
【００４３】
まず、図４（ａ）に示す駐車場登録情報２１０Ａを説明する。ここでは、提供者Ａの駐車場Ａ−１を例として説明する。
駐車場登録情報２１０Ａには、提供者ＩＤ２１１、駐車場識別記号２１２、場所２１３、近隣施設２１４、エリア２１５、対象車両２１６、スペース２１７、道路状況２１８、周辺状況２１９、駐車方法２２０、対価等受取方法２２１の各項目、及び「終了」ボタン２２２が設けられている。なお、一部の項目を含まなくともよく、他の項目を含んでもよい。
【００４４】
ここで、提供者ＩＤ２１１は、駐車場を提供する提供者を識別する項目であって、駐車サーバ１０によって付与される。ここでは、提供者ＩＤ２１１は、提供者Ａである。
駐車場識別記号２１２は、図１で示した駐車場を識別する記号（駐車場Ａ−１など）である。駐車場識別記号２１２は、複数の駐車場がある場合に駐車場を識別する。駐車場識別記号２１２は、提供者が入力してもよく、初めに駐車場の数を提供者が入力し、入力された駐車場の数に対応して、駐車サーバ１０によって付与されてもよい。ここでは、駐車場識別記号２１２は、駐車場Ａ−１である。なお、駐車場識別記号２１２としては、Ａ−１と表記する。
【００４５】
場所２１３は、駐車場の場所を示す情報である。場所２１３は、駐車場の場所が一意に特定される情報であればよい。例えば、場所２１３は、市町村番地などの住所であってもよく、ビルなどの施設名であってもよい。ここでは、場所２１３は、○○市××町である。
近隣施設２１４は、駐車場の近隣に関する情報である。近隣施設２１４には、例えば、駐車場の近隣における駅、商業施設、観光地などである。なお、駐車場とこれらの近隣施設との距離を示す情報が含まれるとよい。ここでは、近隣施設２１４は、○○市駅である。
エリア２１５は、駐車場の場所が含まれる地域を示す情報である。ここでは、エリア２１５は、〇〇市である。
【００４６】
対象車両２１６は、駐車可能な車両の大きさに関する情報である。駐車可能な車が分かる情報であればよい。例えば、小型車、大型車、ワゴンなどである。
スペース２１７は、駐車場の広さ（スペース）に関する情報である。駐車可能な車の大きさが分かる情報であればよい。例えば、スペース２１７は、車が進入する幅（間口）、奥行き（長さ）、高さの情報である。
【００４７】
道路状況２１８は、駐車場に接続する道路に関する情報である。道路状況２１８は、例えば、道路の幅（道幅）、車線の数（車線数）、歩道の有無、通行量、進入角度などである。
【００４８】
周辺状況２１９は、駐車場の周辺に関する情報である。駐車に際して、注意すべき事項に関する情報である。周辺状況２１９は、例えば、駐車場入り口近傍の障害物（電柱など）の有無などである。
駐車方法２２０は、駐車方法に関する情報である。駐車方法２２０は、例えば、駐車場に到着してから駐車が完了するまでに必要な切り返しの回数、進入方向（前向き／後向き）、駐車場の傾斜などである。
【００４９】
そして、対価等受取方法２２１は、対価等（対価又は付加価値）を受け取る方法に関する情報である。例えば、対価（金銭）であれば銀行などの口座に関する情報（口座名義人及び番号）、付加価値（ポイント）であれば、ポイントが蓄積されるカードの番号である。なお、Ｅメールアドレスなどの連絡先が付記されるようにしてもよい。
「終了」ボタン２２２は、入力を終了するためボタンである。「終了」ボタン２２２が押される（クリックされる）ことで、駐車場登録情報２１０Ａの入力が終了する。
なお、上記は例であって、他の項目の情報を入力させるようにしてもよい。
【００５０】
以上の各情報のすべてが必ずしも入力されることを要しない。例えば、対象車両２１６とスペース２１７とは、一方のみでもよい。
【００５１】
駐車場を提供する提供者であれば、上記の各項目の内容を把握しているので、入力が容易である。なお、対象車両２１６で例示したように、予め複数の選択肢を設定して、提供者に選択させてもよい。
【００５２】
ここで、対象車両２１６及び／又はスペース２１７は、対象車両に関する情報（以下では、対象車両情報と表記する。）である。道路状況２１８、周辺状況２１９及び駐車方法２２０は、駐車のしやすさに関する情報（以下では、駐車しやすさ情報と表記する。）である。
【００５３】
次に、図４（ｂ）に示す時間情報２１０Ｂを説明する。ここでは、駐車場Ａ−１に対する時間情報２１０Ｂを説明する。なお、提供者が複数の駐車可能スペース（駐車場）を有する場合には、駐車場を選択する画面（不図示）が予め示されて、駐車場を選択した上で、時間情報２１０Ｂを入力すればよい。
【００５４】
時間情報２１０Ｂには、整理番号２３１、提供者ＩＤ２１１、駐車場識別記号２１２、提供が可能な可能月日２３２、可能時間２３３、欲する要求対価等２３４、「終了」ボタン２３５及び「次」ボタン２３６が設けられている。
整理番号２３１は、管理及び識別のために、駐車サーバ１０によって連続番号が付与される。
提供者ＩＤ２１１は、提供者が駐車サーバ１０にアクセスした際、駐車サーバ１０が提供者を識別して付与する。例えば、提供者が駐車サーバ１０にアクセスする際、提供者ＩＤ及びパスワードの入力を促すことで、駐車サーバ１０は、提供者を識別する。ここでは、提供者ＩＤ２１１は、提供者Ａである。
駐車場識別記号２１２は、提供者が入力してもよく、駐車サーバ１０が識別した提供者に対応して駐車場を表示して、提供者が選択するようにしてもよい。ここでは、駐車場識別記号２１２は、駐車場Ａ−１である。
【００５５】
可能月日２３２には、提供者が、駐車場の提供が可能な月日を入力する。ここでは、可能月日２３２は、３／２０である。
可能時間２３３には、提供者が、駐車場の提供が可能な開始時間と終了時間とを入力する。ここでは、可能時間２３３は、９：００〜１５：００である。
要求対価等２３４には、提供者が欲する単位での、駐車場の利用に対する対価等（対価又は付加価値）を入力する。提供者の欲する単位とは、例えば分単位、時間単位であるが、日単位、週単位、月単位でもよい。なお、可能時間２３３によって、要求対価等２３４が変わってもよい。例えば、午前と午後とで異なるとか、昼間と夜間とで異なってもよい。ここでは、要求対価等２３４は、３００円／時である。
「終了」ボタン２３５は、入力を終了するためのボタンである。「終了」ボタン２３５が押される（クリックされる）ことで、時間情報２１０Ｂの入力が終了する。
一方、「次」ボタン２３６は、他の時間情報２１０Ｂの入力を行うためのボタンである。例えば、同日であっても、同じ駐車場に対して、時間帯に応じて要求対価等を変更したい場合に用いてもよい。また、他の駐車場や、他の日について入力する場合に用いてもよい。
【００５６】
なお、提供者は、駐車サーバ１０に駐車場登録情報２１０Ａを１度入力して登録すれば足りる。提供者は、駐車を可能とする時間などに関する時間情報２１０Ｂを適宜入力すればよい。なお、駐車場登録情報２１０Ａの内容に変更がある場合には、適宜変更が受け受け付けられるようになっているとよい。
【００５７】
次に、駐車場情報２１０を駐車サーバ１０の第１記憶部１４０Ａに記憶させる（登録する）フローを、図２を参照しつつ説明する。
図５は、駐車場情報２１０を駐車サーバ１０の第１記憶部１４０Ａに記憶させる（登録する）フローチャートである。
駐車サーバ１０の第１取得部１１０Ａは、提供者から駐車場情報２１０を取得する（ステップ１０１。図５では、Ｓ１０１と表記する。他の場合も同様である。）。
すると、駐車サーバ１０における制御部１３０の登録部１３１は、第１取得部１１０Ａが取得した駐車場情報２１０における対象車両２１６及び／又はスペース２１７の対象車両情報に基づいて、対象車両ランクを設定する（ステップ１０２）。ここで、対象車両ランクとは、駐車可能スペース（駐車場）が対象とする車（車両）に対する分類（ランク）である。例えば、対象車両ランクを１〜５段階とし、数字が大きいほど、利用可能な車（対象車両）が大きいと（駐車場のスペースが広い）とする。例えば、小型車が利用可能な場合を対象車両ランク１、大型車が利用可能な場合を対象車両ランク２、ワゴンが利用可能な場合を対象車両ランク３などとする。また、スペース２１７の情報に基づいて、予め定められ基準によりランク分けしてもよい。
【００５８】
なお、対象車両２１６及び／又はスペース２１７の対象車両情報に加え、駐車場登録情報２１０Ａにおける道路状況２１８、周辺状況２１９、駐車方法２２０の駐車しやすさ情報を考慮して、対象車両ランクを設定してもよい。例えば、周辺状況２１９に、障害物として電柱があると記載されている場合には、対象車両ランクを小さく（小さい車両側）に設定してもよい。また、駐車方法２２０に、切り返し回数が他に比べて多く記載されている場合には、対象車両ランクを小さく（小さい車両側）に設定してもよい。
【００５９】
次に、駐車サーバ１０の登録部１３１は、第１取得部１１０Ａが取得した駐車場情報２１０（駐車場登録情報２１０Ａ）における道路状況２１８、周辺状況２１９及び駐車方法２２０の駐車しやすさ情報に基づいて、駐車しやすさランクを設定する（ステップ１０３）。ここで、駐車しやすさランクとは、駐車のしやすさについて分類（ランク）である。例えば、駐車しやすさランクを１〜５段階とし、数字が大きいほど、駐車しやすいとする。つまり、駐車しやすさランクが１、２などと数字が小さいほど、高い（熟練した）運転技能が必要な場合をいい、駐車しやすさランクが４、５などと数字が大きい場合は、駐車が容易にできる場合をいう。高い（熟練した）運転技能が必要な場合とは、例えば、駐車場に接する道路の幅が狭い、駐車場の間口が狭い、駐車に際して複数回のハンドルの切り返しが必要などの場合である。運転の中級者向き、熟練者向きである。
逆に、駐車が容易にできる場合とは、駐車場に接する道路の幅が広い、駐車場の間口が広い、駐車場のスペースが広い、切り返しの回数が少ないなどの場合である。
【００６０】
つまり、駐車しやすさランクが大きい（５、４など）場合は、運転の初心者向きであり、駐車しやすさランクが小さい（１、２など）場合は、運転の中級者、熟練者向きである。ここでは、駐車しやすさランクは、スペース２１７による駐車場の広さのみならず、道路状況２１８、周辺状況２１９、駐車方法２２０の駐車しやすさ情報を考慮して設定されるとよい。つまり、スペース２１７によれば、駐車場は十分な広さを有するが、駐車場に接する道路の幅が狭くて進入しづらい場合には、駐車しやすさランクは、小さく（駐車しにくい側）に設定されるのがよい。また、切り返し回数が多い場合も、駐車しやすさランクは、小さく（駐車しにくい側）に設定されるのがよい。
【００６１】
上記の対象車両ランク及び／又は駐車しやすさランクの設定は、駐車場情報２１０の駐車場登録情報２１０Ａにおける各項目に記入された内容をキーワード検索することで行ってもよい。また、これらの項目を複数の選択肢で構成し、選択された選択枝を集計することで行ってもよい。これらの項目を複数の選択肢で構成すると、対象車両ランク及び駐車しやすさランクの算定が容易となる。
【００６２】
そして、駐車サーバ１０における制御部１３０の登録部１３１は、算出した対象車両ランク及び駐車しやすさランクを、駐車場情報２１０とともに、第１記憶部１４０Ａに記憶させる（ステップ１０４）。
【００６３】
図６は、第１記憶部１４０Ａに記憶された駐車場情報２１０の一例である。図６では、複数の提供者（提供者Ａ、Ｂ、Ｃ、Ｄ、Ｅ）からの駐車場情報２１０の内、整理番号２３１、提供者ＩＤ２１１、駐車場識別記号２１２、場所２１３、可能月日２３２、可能時間２３３、要求対価等２３４、対象車両ランク、駐車しやすさランクの項目が表形式で示されている。
整理番号１〜３は、提供者Ａが提供する駐車場である。整理番号１、３は、駐車場識別番号Ａ−１に対する情報であり、整理番号２は、駐車場識別番号Ａ−２に対する情報である。また、整理番号４は、提供者Ｂが提供する駐車場Ｂ−１、整理番号５は、提供者Ｃが提供する駐車場Ｃ−１に対する情報である。整理番号６は、提供者Ｄが提供する駐車場Ｄ−１に対する情報である。そして、整理番号７は、提供者Ｅが提供する駐車場Ｅ−１に対する情報である。
【００６４】
（利用者情報）
次に、利用者情報（以下では、利用者情報２４０と表記する。）を説明する。
利用者情報２４０とは、駐車場を利用する利用者に関する情報である。利用者情報２４０は、利用者端末４０を介して、利用者によって入力され、第２記憶部１４０Ｂに記憶される。利用者情報２４０は、駐車サーバ１０に利用者を登録するための情報である。
【００６５】
図７は、利用者情報２４０の一例を説明する図である。
利用者情報２４０は、図７に示す画面として、利用者の操作する利用者端末４０のディスプレイ（図３のディスプレイ３０７）に表示される。そして、利用者は、キーボードなどの入力デバイス（図３の入力デバイス３０８）により、表示された利用者情報２４０の予め定められた入力欄にその内容を入力する。
【００６６】
ここでは、利用者ａを例として、利用者情報２４０を説明する。
利用者情報２４０には、利用者ＩＤ２４１、氏名２４２、住所２４３、性別２４４、年齢２４５、登録番号２４６、メーカ名２４７、車種２４８、色２４９、サイズ２５０、年式２５１、運転履歴２５２、対価等支払方法２５３の各項目、「車両情報を販売業者から取得」ボタン２５４及び「終了」ボタン２５５が設けられている。
【００６７】
利用者ＩＤ２４１は、利用者を識別する番号であって、駐車サーバ１０によって付与される。ここでは、利用者ＩＤ２４１は、利用者ａである。
氏名２４２、住所２４３、性別２４４、年齢２４５は、利用者に関する情報である。この他に、電話番号、Ｅメールアドレスなどの項目を設けてもよい。
【００６８】
次に、登録番号２４６、メーカ名２４７、車種２４８、色２４９、サイズ２５０、年式２５１は、駐車場を利用する車に関する情報（以下では、利用車両情報と表記する。）である。メーカ名２４７及び車種２４８により、車の価値（価格）、つまり車が高級車であるか、大衆車であるかが分かる。サイズ２５０により、必要な駐車場の広さが分かる。年式２５１により、車両の新しさ／古さが分かる。
【００６９】
運転履歴２５２は、利用者の運転技能に関する情報である。つまり、運転履歴２５２は、車の運転に対する技能に関する情報である。よって、運転履歴２５２には、利用者が実際に車を運転した年月（運転期間）、利用者が車を走行させた走行距離などが記載されるのがよい。また、初心者、中級者、熟練者（上級者）などと分類した選択肢を設けて、選択するようにしてもよい。さらに、免許証の種類を入力させてもよい。
【００７０】
対価等支払方法２５３は、駐車場を利用する権利（利用権）の移転に対して、対価等（対価又は付加価値）を利用者から提供者に支払う（移転させる）方法に関する情報である。ここでは、対価等（対価又は付加価値）は、利用者が駐車場を選択した際（予約が確定した際）に、利用者から提供者に支払う（移転させる）とする。つまり、駐車場の利用の有無にかかわらず、利用者が駐車場を選択した際に移転させる。このため、対価等支払方法２５３は、クレジットカード番号などクレジットカードでの支払いに関する情報であるとよい。
「終了」ボタン２５５は、入力を終了するためボタンである。「終了」ボタン２５５が押される（クリックされる）ことで、利用者情報２４０の入力が終了する。
【００７１】
なお、駐車サーバ１０が、車に関するデータベースを有する、又は車に関するデータベースにアクセス可能であれば、メーカ名２４７、車種２４８及び年式２５１から、車両サイズが分かる。この場合は、サイズ２５０の入力を要しない。
【００７２】
また、上記のメーカ名２４７、車種２４８、色２４９、サイズ２５０、年式２５１などの利用車両情報は、車が販売された販売業者（ディーラ）から取得されてもよい。駐車サーバ１０が販売業者とネットワーク２０によって接続されていて、上記の利用車両情報がネットワーク２０にて取得される場合に限られるが、車の所有者の氏名（利用者の氏名２４２と同じであってもよい）、登録番号２４６などを販売業者に通知することで、利用車両情報が得られるようになっていてもよい。この場合、販売業者から利用車両情報を取得することを許可する「車両情報を販売業者から取得」ボタン２５４を設ければよい。そして、利用者は、利用車両情報であるメーカ名２４７、車種２４８、色２４９、サイズ２５０、年式２５１などを入力することを要しない。
【００７３】
次に、利用者情報２４０を駐車サーバ１０の第２記憶部１４０Ｂに記憶させる（登録する）フローを、図２を参照しつつ説明する。
図８は、利用者情報２４０を駐車サーバ１０の第２記憶部１４０Ｂに記憶させる（登録する）フローチャートである。
駐車サーバ１０の第２取得部１１０Ｂは、利用者から利用者情報２４０を取得する（ステップ１１１）。
すると、駐車サーバ１０における制御部１３０の登録部１３１は、第２取得部１１０Ｂが取得した利用者情報２４０の登録番号２４６、メーカ名２４７、車種２４８、サイズ２５０、年式２５１の利用車両情報から利用車両ランクを設定する（ステップ１１２）。ここで、利用車両ランクとは、駐車場を利用する利用者が駐車する車についての分類（ランク）である。例えば、利用車両ランクを１〜５段階とし、数字が大きいほど、車（利用車両）が大きいとする。例えば、小型車を利用車両ランク１、大型車を利用車両ランク２、ワゴンを利用車両ランク３などとする。また、価値の高い車である場合、又は新しい車である場合には、利用車両ランクを大きく（大きい車側）にずらしてもよい。また、車種２４８と年式２５１とにより、古いが価値が高い車である場合も、利用車両ランクを大きく（大きい車側）にずらしてもよい。
【００７４】
次に、駐車サーバ１０における制御部１３０の登録部１３１は、利用者情報２４０の運転履歴２５２に基づいて、運転技能ランクを設定する（ステップ１１３）。ここで、運転技能ランクとは、利用者の運転技能についての分類（ランク）である。例えば、運転技能ランクを１〜５段階とし、数字が大きいほど、運転に熟練しているとする。つまり、運転技能ランクを運転期間でランク付けする場合、運転期間が１年未満を運転技能ランク１、１年以上３年未満を運転技能ランク２、そして１０年以上を運転技能ランク５などとする。運転技能ランクを走行距離でランク付けする場合、走行距離が１万ｋｍ未満を運転技能ランク１、１万ｋｍ以上５０万ｋｍ未満を運転技能ランク２、そして１００万ｋｍ以上を運転技能ランク５などとする。また、運転期間と走行距離とを組み合わせて、運転技能ランクを設定してもよい。なお、免許証の種類によって、ランク分けしてもよい。さらに、性別２４４又は／及び年齢２４５によって、運転技能ランクを算出する基準を変えてもよい。高齢者の場合は、運転技能ランクを小さい側にずらしてもよい。
【００７５】
そして、駐車サーバ１０における制御部１３０の登録部１３１は、設定した利用車両ランク及び運転技能ランクを、利用者情報２４０とともに、第２記憶部１４０Ｂに記憶させる（ステップ１１４）。
【００７６】
（申込情報）
次に、駐車場の利用を申し込む申込情報（以下では、申込情報２６０と表記する。）について説明する。
申込情報２６０とは、駐車場の利用の申し込みに関する情報である。申込情報２６０は、利用者端末４０を介して、利用者によって入力される。
【００７７】
図９は、申込情報２６０の一例を説明する図である。ここでは、利用者ａを例として、申込情報２６０を説明する。
申込情報２６０には、利用者ＩＤ２４１、エリア２６１、利用月日２６２、利用時間２６３、希望対価等２６４の各項目、及び「申込」ボタン２６５が設けられている。
利用者ＩＤ２４１は、利用者が駐車サーバ１０にアクセスした際、駐車サーバ１０が利用者を識別して付与する。例えば、利用者が駐車サーバ１０にアクセスする際、利用者ＩＤ及びパスワードの入力を促すことで、駐車サーバ１０は、利用者を識別する。ここでは、利用者ＩＤ２４１は、利用者ａである。
【００７８】
エリア２６１、利用月日２６２、利用時間２６３及び希望対価等２６４には、利用者が駐車場を利用したいエリア、利用したい月日、利用したい時間及び希望する対価等を入力する。ここでは、エリア２６１は〇〇市、利用月日２６２は３／２０、利用時間２６３は１０：００〜１５：００、希望対価等２６４は３００円／時以下である。なお、これらの項目は、選択肢を示して利用者に選択させてもよい。また、エリア２６１については、利用可能なエリアを地図で提示し、地図上において利用したいエリア（エリア２６１）を選択させてもよい。
利用者により、「申込」ボタン２６５が押される（クリックされる）と、申込情報２６０が駐車サーバ１０の第２取得部１１０Ｂに送信される。
【００７９】
次に、駐車サーバ１０における駐車場の利用に関するフローを説明する。
図１０は、駐車場の利用に関するフローチャートである。
以下では、図２に示した駐車サーバ１０の機能ブロックを参照しつつ、図１０の利用に関するフローチャートを説明する。
【００８０】
駐車サーバ１０の第２取得部１１０Ｂは、図９に示した申込情報２６０を取得する（ステップ１２１）。すると、第２取得部１１０Ｂは、申込情報２６０を受付部１３３に送信する。受付部１３３は、申込情報２６０を検索部１３２に送信する。検索部１３２は、申込情報２６０の利用者ＩＤ２４１から利用者を特定し、第２記憶部１４０Ｂに記憶された利用者に関する図７に示した利用者情報２４０（利用車両ランク及び運転技能ランクを含む）を取得する（ステップ１２２）。次に、検索部１３２は、申込情報２６０のエリア２６１、利用月日２６２、利用時間２６３に基づいて、第１記憶部１４０Ａに蓄積された図４に示した駐車場情報２１０（駐車場登録情報２１０Ａ及び時間情報２１０Ｂ）から、駐車場を検索する（ステップ１２３）。
【００８１】
次いで、検索された駐車場に対して、利用者情報２４０とともに記憶された利用車両ランクにより、駐車場情報２１０とともに記憶された対象車両ランクを検索する（ステップ１２４）。このとき、利用車両ランクと一致する対象車両ランク又は上位の対象車両ランクの（利用可能な車が大きい）駐車場を検索する。
さらに、検索された駐車場に対して、利用者情報２４０とともに記憶された運転技能ランクにより、駐車場情報２１０とともに記憶された駐車しやすさランクを検索する（ステップ１２５）。このとき、運転技能ランクが低い（運転技能ランク１、２など）場合は、駐車しやすさランクが高い（駐車しやすさ度５、４など）の駐車場を検索する。逆に、利用者の運転技能ランクが高い（運転技能ランク５、４など）場合は、駐車しやすさランクが低い（駐車しやすさランク２、１など）の駐車場を含めて検索する。
【００８２】
さらに、検索された駐車場に対して、希望対価等２６４により要求対価等２３４を検索する（ステップ１２６）。
【００８３】
次に、検索部１３２は、第２提示部１２０Ｂを介して、検索された駐車場を検索結果情報として提示する（ステップ１２７）。ここでは、検索された駐車場を表（後述する図１１（ａ））又は地図上に配置した画像（後述する図１１（ｂ））などで提示する。なお、後述するように、利用者が利用したい駐車場を簡易な操作で予約（選択）できるようになっていることがよい。そして、受付部１３３は、第２取得部１１０Ｂを介して、利用者から駐車場を予約する予約情報を取得したか否かを判断する（ステップ１２８）。
【００８４】
ステップ１２８において、肯定（Ｙｅｓ）の判断がされた場合、つまり予約情報を取得した場合には、受付部１３３は、予約情報を移転処理部１３４に送信する。移転処理部１３４は、予約された時間に対応する対価等の合計を計算し、計算した結果を含めた確認情報を、第２提示部１２０Ｂを介して、利用者に提示する（ステップ１２９）。そして、確認情報に対する承諾である承諾情報を、第２取得部１１０Ｂを介して、利用者から取得したか否かを判断する（ステップ１３０）。
【００８５】
ステップ１３０で、肯定（Ｙｅｓ）の判断がされた場合、つまり承諾情報を取得した場合には、駐車場を利用する権利（利用権）を移転させることになる。よって、移転処理部１３４により、対価等の移転を行う（ステップ１３１）。そして、対価等を移転したことを示す移転情報を提供者に提示する（ステップ１３２）。
【００８６】
なお、ステップ１２８において、予約情報を取得しない場合には、タイムアウトなどにより予約情報を取得したか否かの判断を中断して、終了してもよい。また、ステップ１３０において、承諾情報が得られない場合にも、タイムアウトなどにより承諾情報を取得したか否かの判断を中断して、終了してもよい。
【００８７】
なお、ステップ１２５の、利用者情報２４０とともに記憶された運転技能ランクにより、駐車場情報２１０とともに記憶された駐車しやすさランクを検索するステップを行わなくてもよい。
【００８８】
図１１は、ステップ１２７で提示される検索結果情報２７０の一例である。図１１（ａ）は、検索された駐車場を示した検索結果の表２７０Ａ、図１１（ｂ）は、検索された駐車場を地図上に配置した検索結果の地図画面２７０Ｂである。
図１１（ａ）に示すように、検索結果の表２７０Ａには、利用者ＩＤ２４１、エリア２６１、利用月日２６２、利用時間２６３、検索された駐車場Ａ−１、Ｂ−１、Ｃ−１に関する項目、選択を受け付けるボタン２７１、「予約」ボタン２７２及び「地図画面」ボタン２７３が設けられている。
【００８９】
駐車場Ａ−１、Ｂ−１、Ｃ−１は、図６に示した駐車場情報（対象車両ランク及び駐車しやすさランクを含む）から次のように検索されている。
ここでは、利用者ａは、利用車両ランク４、運転技能ランク１であるとする。つまり、利用者ａは、車の運転について初心者であるとする。
この場合、検索部１３２は、エリアとしての○○市、利用月日３／２０、利用時間１０：００〜１５：００により、整理番号１、４、６、７の駐車場Ａ−１、Ｂ−１、Ｄ−１、Ｅ−１を検索する（図１０のステップ１２３）。次に、検索部１３２は、利用車両ランク４により、検索された駐車場の対象車両ランクから、整理番号１、４、６の駐車場Ａ−１、Ｂ−１、Ｄ−１を検索する（ステップ１２４）。さらに、検索部１３２は、運転技能ランク１により、検索された駐車場の駐車しやすさランクから、整理番号１、４のＡ−１、Ｂ−１を検索する（ステップ１２５）。ここでは、運転技能ランク１のため、駐車しやすさランク５が検索されている。
なお、希望対価等は、全ての駐車場において、３００円／時以下であるので、条件を満たす。なお、円とポイントとは等価であるとする。
【００９０】
なお、駐車場Ｃ−１は、エリアとして指定された〇〇市にない。しかし、図１１（ｂ）に示すように、駐車場Ｃ−１は、近隣の▽▽市にあって、他の条件を満たすので表示されている。
【００９１】
ここで、利用者により、利用可能な駐車場Ａ−１、Ｂ−１、Ｃ−１が何れかの選択を受け付けるボタン２７１が押され（クリックされ）、さらに「予約」ボタン２７２が押される（クリックされる）と、利用者端末４０から、「予約」ボタン２７２が押された（クリックされた）ことを示す予約情報が駐車サーバ１０の第２取得部１１０Ｂに送信される。
【００９２】
なお、「地図画面」ボタン２７３が押される（クリックされる）と、図１１（ｂ）の駐車場を地図上に配置した検索結果の地図画面２７０Ｂに切り替わる。
検索結果の地図画面２７０Ｂには、駐車場Ａ−１、Ｂ−１、Ｃ−１の場所が示された地図とともに、「予約画面」ボタン２７４が設けられている。
「予約画面」ボタン２７４が押される（クリックされる）と、図１１（ａ）の検索結果情報２７０に戻る。なお、検索結果の地図画面２７０Ｂの駐車場Ａ−１、Ｂ−１、Ｃ−１の位置の何れかが押される（クリックされる）ことで、予約情報が送信されるようにしてもよい。
【００９３】
図１２は、図１０におけるステップ１３０で利用者に提示される確認情報２８０及びステップ１３２で提供者に提示される移転情報２９０の一例である。図１２（ａ）は、確認情報２８０、図１２（ｂ）は、移転情報２９０である。
【００９４】
図１２（ａ）に示す確認情報２８０には、利用者ＩＤ２４１、利用月日２６２、場所２１３、駐車場識別記号２１２、利用時間２６３、対価等合計２８１の各項目、及び「承諾」ボタン２８２が設けられている。
そして、利用者により、「承諾」ボタン２８２が押される（クリックされる）と、利用者端末４０から、「承諾」ボタン２８２が押された（クリックされた）ことを示す承諾情報が駐車サーバ１０の第２取得部１１０Ｂに送信される。
【００９５】
図１２（ｂ）に示す移転情報２９０には、整理番号２３１、提供者ＩＤ２１１、駐車場識別記号２１２、利用月日２６２、利用時間２６３、氏名２４２、登録番号２４６、車種２４８、色２４９及び対価等合計２８１の各項目が設けられている。
これにより、提供者は、提供する駐車場が利用される月日、時間に加えて、利用する車に関する情報（氏名、登録番号、車種、色）及び入手する対価等合計が分かる。
【００９６】
提供者は、提供する駐車場に駐車している車が、対象の車であるか否かを確認したいときは、移転情報２９０に記載された登録番号２４６、車種２４８、色２４９などにより容易に確認できる。よって、利用者に問い合わせることを要しない。
なお、駐車場の利用権を与えていない利用者による利用や、利用権を与えた利用時間を超えての利用であることを、提供者が発見した場合には、提供者は、利用者に金銭的な補償を求めたり、レッカー車による移動を行ったりできるようにしてもよい。
【００９７】
以上は、一例であって、駐車サーバ１０、提供者端末３０、利用者端末４０の間において、他の情報が送受信されてもよく、一部の情報の送受信が行われなくてもよい。
【００９８】
本実施の形態では、駐車場情報２１０が駐車サーバ１０の第１記憶部１４０Ａに記憶され、利用者情報２４０が駐車サーバ１０の第２記憶部１４０Ｂに記憶されている。駐車サーバ１０は、取得した申込情報２６０と利用者情報２４０とに基づいて、第１記憶部１４０Ａに記憶された駐車場情報２１０を検索する。
その場合、利用者情報２４０から設定された利用者の車の情報の一例である利用車両ランクにより、駐車場情報２１０から設定された駐車可能スペース（駐車場）が可能とする車の情報の一例である対象車両ランクを検索することにより、利用者の駐車したい車両に適した駐車場が検索される。つまり、利用したい日に、予約した駐車場に着いてみたら、駐車スペースが狭くて、利用ができなかったということがない。
【００９９】
また、駐車可能スペースを利用者に確認させるために、駐車場の写真などの画像を提示することが考えられる。この場合、駐車可能か否かは、利用者が画像を見て判断することになる。そして、利用者の車によっては、写真のみでは、駐車可能か否かの判断がしづらい。
一方、エリアの地図から、駐車場を選択する方法もある。しかし、この場合、エリアに示された駐車場が利用に適するか否かは、利用者が個別に判断することを要することになる。
本実施の形態では、利用車両ランクによって、駐車場が検索されるので、利用者が判断する負担が軽減される。
【０１００】
なお、利用車両ランクは、利用したい車の価値（高級車か大衆車か）、新しい／古いの別を加味して設定することで、傷に敏感な高級車や新しい車の利用者であっても、安心して駐車場が選択できる。つまり、車の価値が高いと考えられる場合には、駐車スペースが大きい（広い）対象車両ランクが割り当てられ、車が新しいと考えられる場合にも駐車スペースが大きい（広い）対象車両ランクが割り当てられる。よって、隣に駐車する車や建屋との距離が大きく設定されることになり、車に傷がつくことが抑制される。
【０１０１】
さらに、利用者情報２４０から設定された利用者の運転の技能に対する情報の一例である運転技能ランクにより、駐車場情報２１０から設定された駐車のしやすさに対する情報の一例である駐車しやすさランクを検索することにより、利用者の運転技能に適した駐車場が検索される。つまり、利用したい日に、予約した駐車場に着いてみたら、駐車場に接続する道路が狭く駐車がやりづらそうであったり、駐車するための切り返しが多数回必要であったりすると、利用を躊躇せざるを得ない場合がある。しかし、本実施の形態では、運転技能ランクと駐車しやすさランクとを検索に用いることで、運転技能に適した駐車場が検索されるようになっている。
【０１０２】
特に、個人の住宅等に設けられた駐車場は、千差万別であって、住人であれば容易であっても、利用者にとっては難しい場合がありうる。しかし、本実施の形態では、提供者の駐車場情報２１０と利用者情報２４０とに基づいて、駐車場を検索するので、適さない駐車場を選択するおそれが少なくできる。
【０１０３】
以上説明したように、本実施の形態では、予め登録された駐車場情報と利用者情報とに基づいて、利用者の利用に適した駐車場が選択可能になっている。そして、利用者と提供者とは、互いにやりとりすることを要しないので、簡易に駐車してよい時間の利用権の受け渡しができる。
【０１０４】
なお、駐車可能スペースの提供を欲する提供者により入力され、駐車可能スペースと駐車可能時間とを対象とした駐車場情報を提供者が欲する単位での対価又は付加価値の情報を含めて取得して、記憶する駐車場情報記憶手段と、駐車場の利用を欲する利用者により入力され、利用者を対象とした利用者情報を駐車する車の情報を含めて取得して、記憶する利用者情報記憶手段と、利用者からの利用したい駐車場の位置及び時間に関する情報を受け付ける受付手段と、駐車情報記憶手段に記憶されている駐車場情報の中から、駐車場の位置及び時間に関する情報と、利用者情報記憶手段に記憶されている利用者情報とに基づいて、利用者の利用に適した駐車場を検索して、出力する出力手段と、出力された駐車場を利用者が選択することにより、駐車場の利用の有無にかかわらず、対価又は付加価値を利用者から提供者に移転可能とする移転手段とを、プログラムによってコンピュータに機能させることができる。このとき、プログラムは、記憶媒体に格納して提供してもよく、また、通信手段によって提供してもよい。その場合、「プログラムを記録したコンピュータ読み取り可能な記録媒体」の発明として捉えてもよい。
【０１０５】
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体には、デジタル・バーサタイル・ディスク（ＤＶＤ）フォーラムによって策定された規格に基づくＤＶＤ、コンパクトディスク（ＣＤ）、ブルーレイ・ディスク（Blue-ray（登録商標） Disk）、光磁気ディスク（ＭＯ）、フレキシブルディスク（ＦＤ）、磁気テープ、ＨＤＤ、ＲＯＭ、フラッシュメモリなどが含まれる。
【０１０６】
通信手段には、ＬＡＮ、メトロポリタン・エリア・ネットワーク（ＭＡＮ）、ワイド・エリア・ネットワーク（ＷＡＮ）、インターネット、イントラネット、などに用いられる有線ネットワーク、無線ネットワーク、これらが複合されたネットワークなどが含まれる。
【０１０７】
以上、本発明の実施形態について説明した。本発明の技術的思想の範囲から逸脱しない様々な変更や構成の代替は、本発明に含まれる。
【符号の説明】
【０１０８】
１…駐車システム、１０…駐車サーバ、２０…ネットワーク、３０、３０Ａ、３０Ｂ…提供者端末、４０、４０Ａ、４０Ｂ…利用者端末、１１０Ａ…第１取得部、１１０Ｂ…第２取得部、１２０Ａ…第１提示部、１２０Ｂ…第２提示部、１３０…制御部、１３１…登録部、１３２…検索部、１３３…受付部、１３４…移転処理部、１４０Ａ…第１記憶部、１４０Ｂ…第２記憶部、２１０…駐車場情報、２１０Ａ…駐車場登録情報、２１０Ｂ…時間情報、２４０…利用者情報、２６０…申込情報、２７０Ａ…検索結果の表、２７０Ｂ…検索結果の地図画面、２８０…確認情報、２９０…移転情報
【図１】
2020017022.tif 000003
【図２】
2020017022.tif 000004
【図３】
2020017022.tif 000005
【図４】
2020017022.tif 000006
【図５】
2020017022.tif 000007
【図６】
2020017022.tif 000008
【図７】
2020017022.tif 000009
【図８】
2020017022.tif 000010
【図９】
2020017022.tif 000011
【図１０】
2020017022.tif 000012
【図１１】
2020017022.tif 000013
【図１２】
2020017022.tif 000014